(57)【特許請求の範囲】
【請求項１】
透明筒状容器の外周面の大半を覆うようにして、裏面に形成された接着層により前記外周面に巻回状に貼着されるラベル基材の、その一側縁と他側縁の少なくともその一部が重ね合わせられて接合され、その接合状態にあって、透明筒状容器の軸方向に沿って透視部が延在することとなる形態を備えたものにあって、
矩形状に形成されたラベル基材の横幅を透明筒状容器の外周寸法より短くして、その一側縁から単一もしくは複数の連結舌縁を側方に突成してなり、このラベル基材を透明筒状容器の外周面に巻回して貼着すると、連結舌縁の先端が他側縁に重なり合って接合され、その接合状態にあって、透明筒状容器の軸方向に沿う透視部が両側縁間に生じるようにしたことを特徴とする透明筒状容器用貼着ラベル。
【請求項２】
透明筒状容器の外周面の大半を覆うようにして、裏面に形成された接着層により前記外周面に巻回状に貼着されるラベル基材の、その一側縁と他側縁の少なくともその一部が重ね合わせられて接合され、その接合状態にあって、透明筒状容器の軸方向に沿って透視部が延在することとなる形態を備えたものにあって、
矩形状に形成されたラベル基材の横幅を透明筒状容器の外周寸法より短くして、その一側縁から単一もしくは複数の連結舌縁を側方に突成し、ラベル基材の他側縁から前記連結舌縁と一対となる単一もしくは複数の連結舌縁を側方に突成してなり、このラベル基材を透明筒状容器の外周面に巻回して貼着すると、一側縁の連結舌縁の先端が他側縁の連結舌縁に重なり合って接合され、その接合状態にあって、透明筒状容器の軸方向に沿う透視部が両側縁間に生じるようにしたことを特徴とする透明筒状容器用貼着ラベル。
【発明の詳細な説明】
【０００１】
【発明の属する技術分野】
本発明は、採血管や試験管等の透明筒状容器用の貼着ラベルに関する。
【０００２】
【従来の技術】
図１０，図１１イに示すように、採血管や試験管等の透明筒状容器ａに貼着して、所要事項を表示するために用いられる貼着ラベルｂは、透明筒状容器ａの外周面の大半を覆うようにして、裏面に形成された接着層ｃによって前記外周面に巻回状に貼着されている。また、該貼着ラベルｂは、その両側縁ｄ，ｄ間に軸方向に沿う透視部ｅとしての隙間が生じるように、透明筒状容器ａの外周面を完全に一周させないで貼着されており、該透視部ｅによって内容量が一目で分かるようにしている。
【０００３】
【発明が解決しようとする課題】
上記のように、両側縁ｄ，ｄを相互に接合しない形態の貼着ラベルｂにあっては、その貼着状態においてラベルｂの表裏に生じる円周差のために、裏面に形成された接着層ｃの接着力よりラベルｂの対変形復元力が強いと、図１１ロに示すように、両側縁ｄ，ｄが剥離し易いという問題点がある。また、合成樹脂性の採血管にあっては、その成形時に、型抜きが容易となるように成形型に塗布される離型剤が採血管の外周面に付着しているため、該離型剤によって接着層ｃの接着力が低下して前記のような両側縁ｄ，ｄの剥離が特に顕著に生じる。
【０００４】
本発明は、かかる問題点を解決し得る貼着ラベルの提供を目的とするものである。
【０００５】
【課題を解決するための手段】
本発明は、透明筒状容器の外周面の大半を覆うようにして、裏面に形成された接着層により前記外周面に巻回状に貼着されるラベル基材の、その一側縁と他側縁の少なくともその一部が重ね合わせられて接合され、その接合状態にあって、透明筒状容器の軸方向に沿って透視部が延在することとなる形態を備えたことを特徴とする透明筒状容器用貼着ラベルである。
【０００６】
また、本発明は、前記構成において、ラベル基材の一側縁から側方に突成した単一もしくは複数の連結舌縁と、ラベル基材の他側縁もしくは該他側縁から側方に突成されて前記連結舌縁と一対となる単一もしくは複数の連結舌縁とを重ね合わせて接合して、両側縁間に透視部が生じるようにしている。
【０００７】
この構成において、ラベル基材の両側縁が重ね合わさって接合され、該ラベル基材に透視部が形成されたものが提案され得る(本発明外)。ここで透視部は、ラベル基材を長孔状に開口したり、あるいは、浸透性を有する紙製のラベル基材に、透視性インキを帯状に浸含させることにより形成することができる。
【０００８】
かかる構成にあって、透明筒状容器の外周面に貼着されるラベル基材は、少なくともその一部が透明筒状容器の外周面を一周する環状を成すことにより、その貼着状態にあって、両側縁の剥離を抑制し得るとともに、透視部によって容器内部の視認性も確保することができる。
【０００９】
【発明の実施の形態】
以下に、本発明の第１の実施例を図１〜図２について説明する。
【００１０】
１は本発明に係る透明筒状容器用の貼着ラベル、２は上端開口にキャップ２ａが着脱可能に被着された採血管や試験管等の透明筒状容器を夫々示す。貼着ラベル１は、矩形状のラベル基材３と、その裏面に形成された接着層４とからなり、該接着層４によってラベル基材３を透明筒状容器２の外周面５に貼着し得るようになっている。また、ラベル基材３は、その表面に所要事項を記載可能な材質が用いられている。
【００１１】
前記ラベル基材３は、図１イに示すように、その縦幅が透明筒状容器２の外周面５の大半を覆う大きさに形成され、また、その横幅が透明筒状容器２の外周寸法より長く、その左右の両側縁６ａ，６ｂを重ね合わせて透明筒状容器２の外周面５に巻回し得る大きさに形成されている。
【００１２】
さらに、ラベル基材３には、その一方の側縁６ａの近傍位置に、該側縁６ａに沿ってラベル基材３を長孔状に切除して開口した透視部７が形成されている。
【００１３】
そして、該ラベル基材３を、図１イ，図２に示すように、透明筒状容器２の外周面５の大半を覆うように巻回して、裏面の接着層４により該外周面５に貼着するとともに、その両側縁６ａ，６ｂを重ね合わせて裏面の接着層４により貼着することによって、両側縁６ａ，６ｂ相互が接合される。そして、その接合状態にあって、透明筒状容器２の軸方向に沿って透視部７が延在することとなる。
【００１４】
かかる構成にあって、ラベル基材３は、透明筒状容器２の外周面５を一周する環状を成し、その両側縁６ａ，６ｂ相互が接合されていることにより、該両側縁６ａ，６ｂの剥離を抑制することができる。また、透明筒状容器２の軸方向に沿って延在する透視部７によって、容器内部を視認することができる。これにより、外周面５に離型剤が付着している採血管のような透明筒状容器２にも好適に使用することができる。
【００１５】
尚、上述の実施例では、ラベル基材３を長孔状に開口することによって、透視部７を形成するようにしているが、これに代えて、該透視部７を透視性インキによって形成することもできる。これは、普通紙等の浸透性を有する紙製のラベル基材３に透視性インキを印刷等によって帯状に浸含させることにより形成されるものであって、透視性インキを浸含させた部分は、乾燥してもほぼ透明な状態となり、容器内部を視認することができる。この透視性インキとしては、特開平８ー１０９５９７号公報に開示された窓付封筒用の紙の透明化剤、あるいは特開平６ー１５８５９８号公報に開示された透明加工紙用紫外線硬化型ワニス等と同様に構成されたものが使用され得る。このように、透視部７を透視性インキによって形成すると、ラベル基材３の縦幅全体に亘って透視部７を設け得る利点がある。
【００１６】
図３は第２の実施例を示し、この実施例は、上記第１実施例のラベル基材３にあって、その横幅を透明筒状容器２の外周と略同一寸法に設定し、その一側縁６ａの、縦幅を二等分する位置から連結舌縁８を側方に突成したものである。
【００１７】
このラベル基材３を透明筒状容器２の外周面５に巻回して裏面の接着層４（図２参照）により貼着すると、図３イに示すように、両側縁６ａ，６ｂが突き合わせられた状態で、連結舌縁８が他側縁６ｂと重なり合う状態となり、該連結舌縁８と他側縁６ｂとが接合されることとなる。
【００１８】
かかる構成にあっては、連結舌縁８によって、ラベル基材３の一部が透明筒状容器２の外周面５を一周する環状を成すことにより、両側縁６ａ，６ｂの剥離を抑制することができる。また、第１実施例と同様に透明筒状容器２の軸方向に沿って延在する透視部７によって、容器内部を視認することができる。
【００１９】
図４は、第３の実施例を示し、この実施例は、矩形状に形成されたラベル基材３の横幅を透明筒状容器２の外周寸法より短くして、その一側縁６ａの、縦幅を二等分する位置から連結舌縁８を側方に突成したものである。
【００２０】
このラベル基材３を透明筒状容器２の外周面５に巻回して裏面の接着層４（図２参照）により貼着すると、図４イに示すように、連結舌縁８の先端が他側縁６ｂに重なり合って接合される。そして、その接合状態にあって、透明筒状容器２の軸方向に沿う透視部７が両側縁６ａ，６ｂ間に生じるようにしている。
【００２１】
かかる構成にあっては、連結舌縁８によって、ラベル基材３の一部が透明筒状容器２の外周面５を一周する環状を成すことにより、両側縁６ａ，６ｂの剥離を抑制することができる。また、前記連結舌縁８を除く両側縁６ａ，６ｂ間に、透明筒状容器２の軸方向に沿う透視部７が延在するため、該透視部７によって容器内部を視認することができる。
【００２２】
図５〜図８は、前記連結舌縁８の、その他の形成態様を示すものであり、図５は、ラベル基材３の一側縁６ａの上下位置から連結舌縁８を側方に夫々突成したもの、図６は、ラベル基材３の一側縁６ａの上下位置と、縦幅を二等分する位置から連結舌縁８を側方に夫々突成したものである。また、図７は、ラベル基材３の一側縁６ａを略く字形に突成して、その先端部分を連結舌縁８としたもの、図８は、ラベル基材３の両側縁６ａ，６ｂの上下位置から連結舌縁８を一対を成すように側方に夫々突成したものである。
【００２３】
そして、ラベル基材３を透明筒状容器２の外周面５に巻回状に貼着した状態において、図５〜図７のものにあっては、各連結舌縁８の先端をラベル基材３の他側縁６ｂに接合し、また、図８のものにあっては、各一対を成す連結舌縁８相互を夫々接合することにより、各図イに示すように、透明筒状容器２の軸方向に沿う透視部７が両側縁６ａ，６ｂ間に生じるようにしている。これによって上記と同様に、両側縁６ａ，６ｂの剥離が抑制され、かつ、容器内部の視認性が得られるようにしている。
【００２４】
尚、図示省略するが、連結舌縁８の形成態様は、その接合状態にあって、ラベル基材３の一部が透明筒状容器２の外周面５を一周する環状を成し、かつ、透明筒状容器２の軸方向に沿って透視部７が生じる形状であれば、これ以外のものでもよい。即ち、ラベル基材３の一側縁６ａから側方に突成した単一もしくは複数の連結舌縁８と、ラベル基材３の他側縁６ｂもしくは該他側縁６ｂから側方に突成されて前記連結舌縁８と一対となる単一もしくは複数の連結舌縁８とを重ね合わせて接合すると、両側縁６ａ，６ｂ間に透視部７が生じるようなものであればよい。
【００２５】
また、上記各実施例にあっては、透明筒状容器２の一例として、上端から下端まで同一径で形成された容器を図示したが、これ以外に、図９に示すような、上端より下端が細い円錐状に形成された透明筒状容器２であってもよい。この場合、該筒状容器２の周面４に貼着されるラベル基材３は、その周面形状に一致するように、展開状態において略扇状を呈するように形成されることとなる。さらに、横断面が多角形を呈する角筒形あるいは角錐形の透明筒状容器にも、本発明を適用することが可能である。
【００２６】
【発明の効果】
本発明は上述のように、透明筒状容器２の外周面５の大半を覆うようにして、裏面に形成された接着層４により前記外周面５に巻回状に貼着されるラベル基材３の、その一側縁６ａと他側縁６ｂの少なくともその一部を重ね合わせて接合し、その接合状態にあって、透明筒状容器２の軸方向に沿って透視部７が延在するようにして貼着ラベル１を構成したから、ラベル基材３の少なくともその一部が透明筒状容器２の外周面５を一周する環状を成すこととなり、これによって、ラベル基材３の両側縁６ａ，６ｂの剥離を抑制することができるとともに、透視部７によって容器内部を視認し得る優れた効果がある。
【図面の簡単な説明】
【図１】本発明にかかる貼着ラベルの第１実施例を示し、イは、貼着状態の斜視図、ロは、該貼着ラベルの展開状態の正面図である。
【図２】同上の貼着状態の拡大横断面図である。
【図３】イは、第２実施例の貼着ラベルの貼着状態の正面図、ロは、該貼着ラベルの展開状態の正面図である。
【図４】イは、第３実施例の貼着ラベルの貼着状態の斜視図、ロは、該貼着ラベルの展開状態の正面図である。
【図５】イは、他の形成態様からなる連結舌縁を備えた貼着ラベルの貼着状態の斜視図、ロは、該貼着ラベルの展開状態の正面図である。
【図６】イは、他の形成態様からなる連結舌縁を備えた貼着ラベルの貼着状態の斜視図、ロは、該貼着ラベルの展開状態の正面図である。
【図７】イは、他の形成態様からなる連結舌縁を備えた貼着ラベルの貼着状態の斜視図、ロは、該貼着ラベルの展開状態の正面図である。
【図８】イは、他の形成態様からなる連結舌縁を備えた貼着ラベルの貼着状態の斜視図、ロは、該貼着ラベルの展開状態の正面図である。
【図９】他の形状の筒状容器に貼着された貼着ラベルの斜視図である。
【図１０】従来構成の貼着ラベルの貼着状態の斜視図である。
【図１１】同上の拡大横断面図である。
【符号の説明】
１  透明筒状容器用貼着ラベル
２  透明筒状容器
３  ラベル基材
４  接着層
５  外周面
６ａ  一側縁
６ｂ  他側縁
７  透視部
８  連結舌縁
【図１】
0003884136.tif 000002
【図２】
0003884136.tif 000003
【図３】
0003884136.tif 000004
【図４】
0003884136.tif 000005
【図５】
0003884136.tif 000006
【図６】
0003884136.tif 000007
【図７】
0003884136.tif 000008
【図８】
0003884136.tif 000009
【図９】
0003884136.tif 000010
【図１０】
0003884136.tif 000011
【図１１】
0003884136.tif 000012